(57)【要約】【目的】  使い勝手に優れた放送受信移動端末を提供する。【構成】  放送受信移動端末２はＰＨＳデータカード４から自宅のディジタル放送受信装置へ番組特定情報及び録画指令を送信する。自宅の放送受信装置は当該番組の受信処理を行って録画処理を開始する。更に、放送受信移動端末２は、受信している番組についての受信可能状態と受信不能状態の変化点時間情報を生成し、自宅の放送受信装置に送信する。自宅の放送受信装置は、録画指令を受けた番組を時間情報と共にハードディスクに記録する。そして、前記録画指令を受けた番組の再生時、前記変化点時間情報と前記記録した時間情報とを比較し、前記変化点時間情報で示される時間範囲だけを再生して映像・音声を出力する。【選択図】      図１
2006014235.tif 000002
【特許請求の範囲】
【請求項１】
地上波ディジタル放送を受信して符号化映像・音声データを取得するチューナと、前記チューナから供給された符号化映像・音声データをデコードしてディスプレイ上に映像表示するとともに音声出力する手段と、受信している地上波ディジタル放送番組を特定する情報を別の放送受信録画機器に無線送信する手段と、受信している地上波ディジタル放送番組についての受信可能状態と受信不能状態の変化点時間情報を生成して記憶する手段と、前記変化点時間情報を前記別の放送受信録画機器に送信する手段と、を備えたことを特徴とする放送受信移動端末。
【請求項２】
請求項１に記載の放送受信移動端末において、映像・音声データを記憶する記憶手段と、前記記憶手段から読み出した映像・音声データを再生する手段と、を備え、前記別の放送受信録画機器から送信されてきた映像・音声データを前記記憶手段に記憶可能に構成されたことを特徴とする放送受信移動端末。
【請求項３】
請求項１又は請求項２に記載の放送受信移動端末と、前記別の放送受信録画機器とから成る受信録画システムであって、前記放送受信録画機器は、放送受信移動端末から受信した前記変化点時間情報に基づく時間範囲の再生処理を行うように構成されていることを特徴とする受信録画システム。
【請求項４】
請求項２に記載の放送受信移動端末と、前記別の放送受信録画機器とから成る受信録画システムであって、前記放送受信録画機器は、放送受信移動端末から受信した前記変化点時間情報に基づく時間範囲の映像・音声データを放送受信移動端末に送信するように構成されたことを特徴とする受信録画システム。
【発明の詳細な説明】
【技術分野】
【０００１】
この発明は、携帯型や車載型などの放送受信移動端末に関する。
【背景技術】
【０００２】
従来より、携帯型のテレビジョン受信装置が提供されており、かかる装置は内蔵の小型チューナによって地上波アナログ放送を受信し、液晶表示パネルに受信映像を映し出すようになっている。また、地上波ディジタル放送においても同様に小型装置で受信することが可能である（特許文献１）。
【特許文献１】特開２００３−１１０９５５号公報
【発明の開示】
【発明が解決しようとする課題】
【０００３】
このように、映像の符号化技術の高度化や機器の小型化によって、外出先でも手軽に映像を楽しむことができるが、場所によっては地上ディジタル放送波を受信できない場合があり、このような場合でも使い勝手に優れた放送受信移動端末が求められる。
【０００４】
この発明は、上記の事情に鑑み、使い勝手に優れた放送受信移動端末を提供することを目的とする。
【課題を解決するための手段】
【０００５】
この発明の放送受信移動端末は、上記課題を解決するために、地上波ディジタル放送を受信して符号化映像・音声データを取得するチューナと、前記チューナから供給された符号化映像・音声データをデコードしてディスプレイ上に映像表示するとともに音声出力する手段と、受信している地上波ディジタル放送番組を特定する情報を別の放送受信録画機器に無線送信する手段と、受信している地上波ディジタル放送番組についての受信可能状態と受信不能状態の変化点時間情報を生成して記憶する手段と、前記変化点時間情報を前記別の放送受信録画機器に送信する手段と、を備えたことを特徴とする。
【０００６】
上記構成であれば、放送受信移動端末で視聴している或いは視聴しようとしている番組を例えば自宅のディジタル放送受信装置に録画させ、且つ前記変化点時間情報を自宅のディジタル放送受信装置に与えるので、自宅のディジタル放送受信装置において録画番組の再生を行うときには、前記変化点時間情報に基づき、例えば、１回目の受信不能であった時間範囲の番組再生、２回目の受信不能であった時間範囲の番組再生、のごとく番組再生が可能となり、放送受信移動端末で見られなかった部分だけを自宅のディジタル放送受信装置で簡単に見ることができる。
【０００７】
上記構成の放送受信移動端末において、映像・音声データを記憶する記憶手段と、前記記憶手段から読み出した映像・音声データを再生する手段と、を備え、前記別の放送受信録画機器から送信されてきた映像・音声データを前記記憶手段に記憶可能に構成されていてもよい。これによれば、例えば、放送受信移動端末で見られなかった部分だけを自宅のディジタル放送受信装置から転送してもらって当該放送受信移動端末で当該部分を見ることが可能になる。
【０００８】
また、この発明の受信録画システムは、上述したいずれかの放送受信移動端末と、前記別の放送受信録画機器とから成る受信録画システムであって、前記放送受信録画機器は、放送受信移動端末から受信した前記変化点時間情報に基づく時間範囲の再生処理を行うように構成されていることを特徴とする。また、この発明の受信録画システムは、前記記憶手段を備える放送受信移動端末と、前記別の放送受信録画機器とから成る受信録画システムであって、前記放送受信録画機器は、放送受信移動端末から受信した前記変化点時間情報に基づく時間範囲の映像・音声データを放送受信移動端末に送信するように構成されたことを特徴とする。
【発明の効果】
【０００９】
この発明によれば、自宅のディジタル放送受信装置での録画番組の再生でを変化点時間情報に基づく時間範囲の番組再生が可能となり、放送受信移動端末で見られなかった部分だけを自宅のディジタル放送受信装置で簡単に見ることができたり、或いは、放送受信移動端末で見られなかった部分だけを自宅のディジタル放送受信装置から転送してもらって当該放送受信移動端末で当該部分を見ることが可能になるという効果を奏する。
【発明を実施するための最良の形態】
【００１０】
以下、この発明の実施形態を図１及び図２に基づいて説明する。
【００１１】
図１はこの実施形態の放送受信移動端末２を示したブロック図である。放送受信移動端末２は、地上波ディジタルチューナ２３０による放送受信により得られた符号化映像・音声データ、或いは、スロット２０１に差し込まれたメモリカード３等から読み出した符号化映像・音声データにより、映像を液晶表示パネル２０２上に映し出すとともに、音声をスピーカ２０３から出力するようになっている。なお，この実施形態では符号化映像・音声データはＭＰＥＧ４データであるとする。
【００１２】
メモリカード３から読み出したＭＰＥＧ４データは、ＰＣＭＣＩＡインターフェイス２２０、及びシステムバス２１３を経てＭＰＥＧ４ビデオデコーダ２０４に供給される。また、地上ディジタルチューナ２３０は、この地上ディジタル放送で放送されるＭＰＥＧ４のビットストリームデータを取り出し、ＭＰＥＧ４ビデオデコーダ２０４やオーディオデコーダ（ＭＰＥＧ４−ＡＡＣ）２０６に与える。
【００１３】
ＭＰＥＧ４ビデオデコーダ２０４は、ＭＰＥＧ４のビットストリームデータを復号して量子化係数や動きベクトルを求め、逆ＤＣＴ変換や動きベクトルに基づく動き補償制御などを行うことによって得た映像データをグラフィックスコントローラ２０５に供給する。グラフィックスコントローラ２０５は映像データ（例えば、Ｒ，Ｇ，Ｂデータ）に対して色調整等の処理を施す。また、グラフィックスコントローラ２０５はＣＰＵ２０９から出力指示された文字等（操作ボタン、メニュー画面、メッセージ画面等）を液晶表示パネル２０２に表示するＯＳＤ（オンスクリーンディスプレイ）処理も行う。オーディオデコーダ２０６は、ビットストリーム中の音声符号データを復号して音声データを生成する。ＳＤＲＡＭ２１０は、ＭＰＥＧ４ビデオデコーダ２０４の上記処理において利用される。
【００１４】
ＬＣＤコントローラ２０７は、グラフィックスコントローラ２０５から供給された映像データに基づいて液晶表示パネル２０２を駆動する。また、Ｄ／Ａ変換器２０８は、オーディオデコーダ２０６から出力された音声データを受け取ってＤ／Ａ変換を行い、右（Ｒ）音のアナログ信号及び左（Ｌ）音のアナログ信号を生成してスピーカ２０３に与える。
【００１５】
本体キー２１４は操作ボタン、十字キー（方向キー）、テンキー等である。この本体キー２１４に対する操作情報は、インターフェイス２１５、及びシステムバス２１３を介してＣＰＵ２０９に与えられる。なお、キーとしてタッチパネルを備えてもよい。ＣＰＵ２０９は上記操作情報に基づいて必要な処理を実行する。また、ＦｌａｓｈＲＯＭ２１８やＳＤＲＡＭ２１９も備える。
【００１６】
ＣＰＵ２０９は、スロット２０１にＰＨＳデータカード４が装着された場合のネットワークを利用したデータ送受信、受信データに基づく各機能部の制御、ＦｌａｓｈＲＯＭ２１８やＳＤＲＡＭ２１９のリード／ライト制御なども行うようになっている。
【００１７】
上記ＣＰＵ２０９による処理を更に説明していく。スロット２０１にＰＨＳデータカード４を装着することで、電子メールやインターネットを利用したページ閲覧等が行えるようになっている。従って、かかる放送受信移動端末をテレビ視聴や映像再生機として使う他に、ネット端末として利用できる。また、図示はしていないが、自宅には受信番組を録画する機能を備えたディジタル放送受信装置或いは録画装置を制御することができるディジタル放送受信装置が設置されている。更に、前記ディジタル放送受信装置は、例えばＰＨＳデータカードなどを備え、放送受信移動端末２との間でデータ通信を実行することができる。
【００１８】
ところで、放送受信移動端末２による番組視聴中にトンネルなどの地上波ディジタル放送波を受信できない所に入ってしまったり、或いは、地上波ディジタル放送エリアから外れてしまうことがあり、このような場合には番組視聴が行えない。
【００１９】
この発明においては、このような場合に、受信していた番組で見られなくなった部分を自宅のディジタル放送受信装置を利用して見ることができるようにする。このため、ディジタル放送受信装置及び放送受信移動端末２は、前述したごとく、ＰＨＳデータカードによって互いに遠く離れている状態でも無線ネットワークによってデータ送受信が行える。勿論、携帯電話機能による無線ネットワークによってデータ送受信が行えるようにしてもよい。
【００２０】
放送受信移動端末２は、番組受信の開始時、或いは、受信レベルが低下し、誤り訂正可能限界を越えて受信番組の符号化映像・音声データに対するデコードが行えなくなったときなどに、図２に示すように、「この番組を自宅の装置に録画しますか」といったメッセージ及び「はい」「いいえ」のボタンを液晶表示パネル２０２に表示する。「はい」のボタンが操作されたときは、放送受信移動端末２のＰＨＳデータカード４から自宅のディジタル放送受信装置のＰＨＳデータカードへの回線接続処理を実行する。回線が接続されたら、放送受信移動端末２のＰＨＳデータカード４からディジタル放送受信装置のＰＨＳデータカードへ番組特定情報（リモートコントロールキーＩＤ（同一地域内で有効）、放送局系列情報、番組名、番組詳細情報等）及び録画指令を送信する。自宅のディジタル放送受信装置は、前記番組特定情報に基づく番組がどのチャンネルで放送されているかといった情報を例えばＥＰＧとの比較により取得し、取得できた場合は当該番組の受信処理を行って録画処理を開始する。
【００２１】
更に、放送受信移動端末２は、受信している地上波ディジタル放送番組についての受信可能状態と受信不能状態の変化点時間情報を生成する。例えば、自宅のディジタル放送受信装置から録画指令に対する「録画を実行します」といった返答を受けた時点からタイマーをスタートさせ、例えば、１回目受信不能「５分３０秒〜６分３０秒」、２回目受信不能「１０分３０秒〜１６分３０秒」、…のごとく変化点時間情報を生成する。この変化点時間情報は一旦メモリに蓄積しておいて例えば番組終了後に無線データ通信で自宅のディジタル放送受信装置に送信する。なお、放送受信移動端末２が携帯型で且つ赤外線通信機能を備え、自宅のディジタル放送受信装置にも赤外線通信機能が備えられている場合には、前記メモリに蓄積しておいた変化点時間情報を帰宅後に前記赤外線通信機能を用いて自宅のディジタル放送受信装置に与えることもできる。勿論、ＵＳＢ等の有線インターフェイスを用いて変化点時間情報を送受することもできる。
【００２２】
自宅のディジタル放送受信装置は、録画指令を受けた番組の音声・映像を例えばハードディスクに録画する。そして、例えばこの録画開始時にタイマーをスタートし、このタイマーによる時間情報を前記音声・映像の記録アドレスに対応付けて記録する。また、放送受信移動端末２から送信された変化点時間情報を受信してメモリに記憶する。そして、前記録画指令を受けた番組の再生時、前記変化点時間情報と前記音声・映像の記録アドレスにに対応付けて記録した時間情報とを比較し、前記変化点時間情報で示される時間範囲の音声・映像だけを再生して映像・音声を出力する。
【００２３】
このように、自宅のディジタル放送受信装置に番組を録画させることとし、且つ前記変化点時間情報を自宅のディジタル放送受信装置に与えるので、自宅のディジタル放送受信装置において録画番組の再生を行うとき、前記変化点時間情報に基づき、例えば、１回目の受信不能であった５分３０秒〜６分３０秒の間の番組再生、２回目の受信不能であった１０分３０秒〜１６分３０秒の間の番組再生、のごとく時間範囲の番組再生が可能となり、放送受信移動端末２で見られなかった部分だけをディジタル放送受信装置で簡単に見ることができる。
【００２４】
上記の例では変化点時間情報はタイマーによる時間情報であったが、映像・音声のパケッタイズドエレメンタリストリーム（ＰＥＳ）のパケット中に含まれるＰＴＳ（Ｐｒｅｓｅｎｔａｔｉｏｎ  Ｔｉｍｅ  Ｓｔａｍｐ：再生出力時刻情報）を変化点時間情報として用いることも可能である。例えば、放送受信移動端末２は受信不能となった直前のＰＴＳや受信可能となった直後のＰＴＳを取り出して変化点時間情報とする。ディジタル放送受信装置は、変化点時間情報として受け取ったＰＴＳに合致する範囲の映像・音声を再生することになる。
【００２５】
また、変化点時間情報で示される時間範囲の映像・音声データを放送受信移動端末２に送信することができるようにディジタル放送受信装置を構成しておいてもよい。放送受信移動端末２は、前記時間範囲の映像・音声データをスロット２０１に差し込まれたメモリカード３に格納する。そして、当該メモリカード３から読み出した前記時間範囲の映像・音声データにより、映像を液晶表示パネル２０２上に映し出すとともに、音声をスピーカ２０３から出力する。これにより、ユーザは番組の見られなかった部分を外出先で放送受信移動端末２を用いて見ることができる。なお、ディジタル放送受信装置は、変化点時間情報として受け取ったＰＴＳに合致する範囲のパケッタイズドエレメンタリストリームを、放送受信移動端末２に宛ててデータ送信してもよい。放送受信移動端末２は、受信したパケッタイズドエレメンタリストリームをスロット２０１に差し込まれたメモリカード３に格納する。そして、当該カード３から読み出したパケッタイズドエレメンタリストリームにより、映像を液晶表示パネル２０２上に映し出すとともに、音声をスピーカ２０３から出力する。
【図面の簡単な説明】
【００２６】
【図１】この発明の実施形態の車載型の放送受信移動端末の構成を示したブロック図である。
【図２】自宅のディジタル放送受信装置に録画させるときの画面表示例を示した説明図である。
【符号の説明】
【００２７】
２      車載型受信端末
２０２  ＬＣＤパネル
２０５  グラフィックスコントローラ
２０７  ＬＣＤコントローラ
２０９  ＣＰＵ
２３０  地上波ディジタルチューナ
【図１】
2006014235.tif 000003
【図２】
2006014235.tif 000004